(57)【要約】【課題】ユーザーが直感的に食器の種類と食器の位置設定を行なえる食器洗い機を提供すること。【解決手段】操作表示部１２の食器量判定部２２は、食器情報データ部２４に予め格納された食器の種類情報を取得し、取得した食器の種類情報を元に前記タッチパネル１１へ表示させる食器情報を決定し、決定した食器情報を表示出力部２３へ通知する。前記表示出力部２３は前記食器量判定部２２から取得した食器情報に対応する食器のアイコンを前記タッチパネル１１の食器一覧部４１へ一覧表示する。【選択図】図１
2013090816.tif 000002
【特許請求の範囲】
【請求項１】
食器洗い機に対する設定の入力および設定情報の表示を行うタッチパネルと、食器の種類情報を格納した食器情報データ部とを備え、前記タッチパネルは、前記食器情報データ部に格納された食器の種類を一覧表示する食器一覧部と、前記食器洗い機の洗浄空間内の位置関係を表す空間位置表示部と、を少なくとも表示する食器洗い機。
【請求項２】
前記タッチパネルに入力された食器情報から洗浄槽内に収納した食器量を判定する食器量判定部を備え、前記食器量判定部は、前記食器一覧部に一覧表示された食器の中から収納した食器の種類を前記タッチパネルに入力することにより洗浄槽内に収納された食器の種類と食器量を判定する請求項１記載の食器洗い機。
【請求項３】
前記タッチパネルの前記空間位置表示部に入力された情報から洗浄槽内の食器位置を判定する食器位置判定部を備え、食器の収納位置を前記空間位置表示部に入力することにより、前記食器位置判定部は、洗浄槽内の食器の収納位置を判定する請求項２に記載の食器洗い機。
【請求項４】
前記タッチパネルに入力された情報から食器の収納方向を判定する食器方向判定部を備え、食器の収納方向を前記タッチパネルに入力することにより、前記食器方向判定部は、洗浄槽内に収納された食器の方向を判定する請求項２または３に記載の食器洗い機。
【請求項５】
前記タッチパネルに入力された情報から食器の汚れ度合を判定する汚れ度合判定部を備え、収納した食器の汚れ度合を前記タッチパネルに入力することにより、前記汚れ度合判定部は、洗浄槽内に収納された食器の汚れ度合を判定する請求項２〜４のいずれか１項に記載の食器洗い機。
【請求項６】
前記タッチパネルに入力された食器情報と食器の位置情報を記憶する記憶手段を備え、前記記憶手段に記憶された食器情報と食器の位置情報を電源起動時に表示する請求項２〜５のいずれか１項に記載の食器洗い機。
【請求項７】
現在時刻を測定する計時手段を備え、前記タッチパネルに入力された食器情報と食器の位置情報を電源の起動時刻毎に記憶し、電源の起動時間帯に応じて表示する食器情報と位置情報を変更する請求項２〜６のいずれか１項に記載の食器洗い機。
【発明の詳細な説明】
【技術分野】
【０００１】
本発明は、庫内に収納された食器類を洗浄する食器洗い機に関し、使用者の操作性を向上させるユーザーインターフェース技術に関するものである。
【背景技術】
【０００２】
従来の食器洗い機は、洗浄槽内に収納された食器類を効率よく洗浄するために、複数の洗浄ノズルを搭載したり、複数のセンサを搭載し、洗浄槽内の食器の収納位置を検出（例えば、特許文献１参照）したり、食器の重量を検出（例えば、特許文献２参照）したりすることにより、食器の収納位置や食器量に応じた洗浄制御を行うことが提案されている。
【０００３】
ここで、特許文献１に記載された従来の食器洗い機を図８に示す。図８において、食器洗い機１は洗浄槽２と、前記洗浄槽２内に食器類３を収納する食器カゴ４と、前記洗浄槽２内の洗浄水５を加圧する洗浄ポンプ６と、前記洗浄ポンプ６により加圧された前記洗浄水５を前記洗浄槽２内に噴射する洗浄ノズル７と、前記洗浄水５の流量を変更、分岐させる分水弁８と、前記洗浄水５を加熱する温水ヒータ９と、前記収納された食器類３の収納位置を検知する光センサ等の食器検出手段１０から構成される。
【０００４】
以上のように構成された食器洗い機は、食器検出手段１０により洗浄槽２内に収納された食器類３の収納位置を検出することが可能となるため、食器類３の収納位置に応じて最適に洗浄ポンプ６の動作および洗浄ノズル７を制御することが可能となり、収納された食器を効率よく洗浄することができる。
【先行技術文献】
【特許文献】
【０００５】
【特許文献１】特開２００２−２８２１９６号公報
【特許文献２】特開２００８−１８８３１５号公報
【発明の概要】
【発明が解決しようとする課題】
【０００６】
しかしながら、前記従来の手段では、ある程度の食器量の検出は可能であるが、重なっている食器の位置を検知できない、といった課題や、食器の種類を検知できないため食器に応じた洗浄を行えない、といった課題を有しており、確実に食器の収納位置や食器の種類を検出する場合には、さらに複数のセンサや画像認識手段を搭載する必要があり、コストが高くなる、といった課題を有していた。
【０００７】
そこで本発明は、ユーザーが直感的に、食器の種類と収納位置を指定することにより、容易な構成で食器の収納状態に応じた洗浄を行うことが可能となる食器洗い機を提供することを目的とする。
【課題を解決するための手段】
【０００８】
本発明は、前記従来の課題を解決するために、食器洗い機に対する設定の入力および設定情報の表示を行うタッチパネルと、食器の種類情報を格納した食器情報データ部とを備え、前記タッチパネルは、前記食器情報データ部に格納された食器の種類を一覧表示する食器一覧部と、前記食器洗い機の洗浄空間内の位置関係を表す空間位置表示部とを少なくとも表示し、ユーザーが前記タッチパネルに食器の種類と収納位置を入力する食器洗い機としたものである。
【発明の効果】
【０００９】
本発明は、タッチパネルに食器の種類と収納位置を入力することにより、食器洗い機本体において食器の収納状態を検出することが可能となるため、ユーザーに負担を掛けず、容易な構成で効率よく食器の洗浄を行うことが可能となる。
【図面の簡単な説明】
【００１０】
【図１】本発明の実施の形態１から形態５における食器洗い機の概略図
【図２】本発明の実施の形態１、形態２における食器洗い機の構成図
【図３】本発明の実施の形態１におけるフローチャート
【図４】本発明の実施の形態３における食器洗い機の構成図
【図５】本発明の実施の形態３におけるフローチャート
【図６】本発明の実施の形態３におけるタッチパネル画面を示す図
【図７】本発明の実施の形態４、形態５における食器洗い機の構成図
【図８】従来の食器洗い機の構成図
【発明を実施するための形態】
【００１１】
第１の発明は、食器洗い機本体の操作表示部に、設定の入力および設定情報の表示を行うタッチパネルと、食器の種類情報を格納した食器情報データ部とを備え、前記タッチパネルは、前記食器情報データ部に格納された食器の種類を一覧表示する食器一覧部と、前記食器洗い機の洗浄空間内の位置関係を表す空間位置表示部と、を少なくとも表示することにより、ユーザーが直感的に洗浄槽内の食器の収納状態を設定することができる。
【００１２】
第２の発明は、特に、第１の発明の食器洗い機において、前記タッチパネルに入力された食器情報から洗浄槽内に収納した食器量を判定する食器量判定部を備え、ユーザーが前記食器一覧部に一覧表示された食器の中から収納した食器の種類を前記タッチパネルに入力することにより、収納された食器の種類と食器量を判定することが可能となり、食器の種類と食器量に応じた洗浄制御を行うことができる。
【００１３】
第３の発明は、特に、第２の発明の食器洗い機において、前記タッチパネルの前記空間位置表示部に入力された情報から洗浄槽内の食器位置を判定する食器位置判定部を備え、ユーザーが食器の収納位置を前記空間位置表示部に入力することにより、食器の収納位置を判定することが可能となり、食器の収納位置に応じた洗浄制御を行うことができる。
【００１４】
第４の発明は、特に、第２または第３の発明の食器洗い機の食器情報データ部において、前記タッチパネルに入力された情報から食器の収納方向を判定する食器方向判定部を備え、食器の収納方向を前記タッチパネルに入力することにより、前記食器方向判定部は、洗浄槽内に収納された食器の方向を判定することが可能となり、食器の収納方向に応じた洗浄制御を行うことができる。
【００１５】
第５の発明は、特に、第２から第４のいずれか１つの発明の食器洗い機において、前記タッチパネルに入力された情報から食器の汚れ度合を判定する汚れ度合判定部を備え、ユーザーが洗浄槽内に収納した食器の汚れ度合を前記タッチパネルに入力することにより、収納された食器の汚れ度合を判定することが可能となり、食器の汚れ度合に応じた洗浄制御を行うことができる。
【００１６】
第６の発明は、特に、第２から第５のいずれか１つの発明の食器洗い機において、前記タッチパネルに入力された食器情報と食器の位置情報を記憶する記憶手段を備え、前記記憶手段に記憶された食器情報と食器の位置情報を電源起動時に表示することが可能となり、ユーザーが食器の収納状態を前記タッチパネルに入力する手間を省略することができる。
【００１７】
第７の発明は、特に、第２から第６のいずれか１つの発明の食器洗い機において、現在時刻を測定する計時手段を備え、前記タッチパネルに入力された食器情報と食器の位置情報を電源の起動時刻毎に記憶し、電源の起動時間帯に応じて表示する食器情報と位置情報を変更することにより、時間帯に応じて洗浄する食器量や食器の種類が異なる場合においても、ユーザーが食器の収納状態を前記タッチパネルに入力する手間を省略することができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における食器洗い機の外観の概略図およびタッチパネルの表示画面を、図２は、本実施の形態における食器洗い機の構成図を示したものである。
【００２０】
図１、図２において、食器洗い機１は、前記食器洗い機１への設定内容を入力・表示するタッチパネル１１と、前記タッチパネル１１への入出力を制御する操作表示部１２と、洗浄ポンプや洗浄ノズルを動作させ洗浄動作を行う洗浄制御部１３から構成され、前記操作表示部１２は、前記タッチパネル１１への入力を検出する入力検出部２１と、前記入力検出部２１で検出された入力情報を元に食器量を判定する食器量判定部２２と、前記入力検出部２１で検出された座標情報を元に食器の収納位置を判定する食器位置判定部３１と、前記タッチパネル１１へ表示するデータを出力する表示出力部２３と、食器の種類情報を格納した食器情報データ部２４から構成される。
【００２１】
ここで、前記食器量判定部２２には、洗浄時間の基準となる標準洗浄時間と標準食器量データが予め格納されており、前記食器情報データ部２４には、前記食器洗い機１で洗浄可能な食器の種類情報と、食器の種類と食器量に応じて洗浄時間を補正する食器補正時間が予め格納されているものとする。
【００２２】
また、タッチパネル１１は、図１に示すように、電源起動時に、前記食器情報データ部２４に格納された食器の種類をアイコンで一覧表示する食器一覧部４１と、前記食器洗い機１の洗浄空間内の位置関係を表す空間位置表示部４２が表示されるものとする。
【００２３】
以上のように構成された食器洗い機について、以下その動作・作用を図１のタッチパネル画面と図３のフローチャートを使用して説明する。
【００２４】
電源投入後、操作表示部１２の食器量判定部２２は、食器情報データ部２４に予め格納された食器の種類情報を取得し、取得した食器の種類情報を元に前記タッチパネル１１へ表示させる食器情報を決定し、決定した食器情報を表示出力部２３へ通知する。前記表示出力部２３は前記食器量判定部２２から取得した食器情報に対応する食器のアイコンを前記タッチパネル１１の食器一覧部４１へ一覧表示する（ステップ１）。
【００２５】
入力検出部２１において、前記食器一覧部４１へ一覧表示された食器アイコンがユーザーにより選択され、前記空間位置表示部４２の洗浄槽内の収納位置に該当する座標位置へドラッグ操作により配置されたことを検知する（ステップ２）と、前記入力検出部２１は、前記空間位置表示部４２に配置された食器アイコンから、食器の種類情報と座標位置情報を検出し、検出した食器の種類情報と座標位置情報を前記食器量判定部２２へ通知する（ステップ３）。前記食器量判定部２２は、前記入力検出部２１から取得した食器の種類情報を元に洗浄槽内に配置された食器を確定し、食器位置判定部３１において、前記入力
検出部２１から取得した座標位置情報を元に前記食器の洗浄槽内の収納位置を判定する（ステップ４）。
【００２６】
前記ステップ２からステップ４までを繰り返し、洗浄槽内に収納した全ての食器情報と収納位置情報の登録が完了する（ステップ５）と、前記食器量判定部２２は、入力された食器の種類情報と予め格納された標準食器量データを比較し、入力された食器量が前記標準食器量データと異なる場合は、前記食器情報データ部２４に格納された食器補正時間を取得し、取得した食器補正時間を元に食器量に応じた補正時間を算出することにより洗浄時間の補正を行う（ステップ６）。
【００２７】
例えば、前記食器量判定部２２において、前記標準食器量データより少ない食器があると判定された場合は、前記食器に対する食器補正時間を前記食器情報データ部２４より取得し、前記標準食器量データと入力された食器量との差に応じて、前記食器補正時間を前記標準洗浄時間から減算することにより洗浄時間の補正を行う。逆に、前記標準食器量データより多い食器があると判定された場合は、前記標準食器量データと入力された食器量との差に応じて、前記食器情報データ部２４より取得した前記食器に対する食器補正時間を前記標準洗浄時間へ加算することにより洗浄時間の補正を行う。
【００２８】
その後、補正された洗浄時間に従い、前記食器位置判定部３１で判定された食器位置に対して、洗浄制御部１３において洗浄ポンプや洗浄ノズルを制御して食器の洗浄を行う（ステップ７）。
【００２９】
ここで、ステップ５の判定は、前記タッチパネル１１上に別途設定ボタンを表示させ、前記設定ボタンを入力することにより登録完了を判定する構成としてもよいものとし、前記入力検出部２１において、前記タッチパネル１１への入力を検知しない時間が予め設定された時間以上経過した場合、登録完了と判定し、それまでの入力情報をもとに食器の種類と収納位置を確定し、洗浄制御を行う構成としてもよいものとする。
【００３０】
以上のように、本実施の形態においては、ユーザーに負担を掛けず、複数のセンサを搭載することなく容易な構成で、収納された食器量と食器の収納位置を設定することが可能となり、食器量に応じて洗浄時間を補正し、設定された収納位置に対して洗浄ポンプや洗浄ノズルを制御して食器の洗浄を行うことにより、最適な洗浄時間で効率よく食器の洗浄を行うことができる。
【００３１】
さらに、本実施の形態においては、前記食器情報データ部２４に格納された食器補正時間は、食器の種類ごとにデータを準備するため、収納された食器の種類に応じても洗浄時間を補正することができ、より最適な洗浄時間で食器の洗浄を行うことができる。
【００３２】
また、本実施の形態の食器情報データ部２４に予め格納された前記食器補正時間は、各食器の単位数あたりの洗浄時間の補正時間とせず、食器の種類に応じた洗浄時間の補正時間とし、前記標準食器量データと入力された食器量との差が、予め設定されたレベル以上である場合のみ、前記食器補正時間を使用して洗浄時間の補正を行う構成としてもよいものとする。
【００３３】
さらに、本実施の形態においては、ステップ２で前記空間位置表示部４２へ配置された食器のアイコンの表示は、食器一覧部４１へ表示された方向のまま表示するものとしてもよく、前記食器洗い機１における推奨の方向へ自動で変化させて表示するものとしてもよいものとする。
【００３４】
さらに、本実施の形態においては、前記タッチパネル１１上に、別途、前記空間位置表
示部４２へ配置した食器を削除する削除ボタンを表示させ、前記削除ボタンを入力することにより、配置した食器を削除する構成としてもよいものとする。
【００３５】
（実施の形態２）
次に、本発明における第２の実施の形態について図２を使用して説明する。
【００３６】
実施の形態２においては、実施の形態１に対して、前記食器量判定部２２に、前記入力検出部２１で検出された入力情報をもとに食器の収納方向を判定する食器方向判定部３２を備え、前記食器情報データ部２４に前記食器洗い機１で洗浄可能な食器の方向情報を予め格納した構成とする。
【００３７】
以上のように、本実施の形態においては、実施の形態１と同様に、ユーザーが洗浄槽内に収納した食器の収納位置を前記空間位置表示部４２へ入力後、続いて食器の収納方向を前記空間位置表示部４２へタッチ操作により任意に設定することにより、食器方向判定部３２において、収納された食器の収納方向を判定し、判定された食器の方向情報をもとに、洗浄制御部１３を介して洗浄ポンプや洗浄ノズルを制御して食器の洗浄を行うことが可能となり、ユーザーに負担を掛けず、複数のセンサを搭載することなく容易な構成で、食器の収納方向に応じても効率よく洗浄を行うことができる。
【００３８】
また、本実施の形態においては、前記タッチパネル１１上に、別途、食器の収納方向の入力を開始する食器方向設定ボタンを表示させ、前記食器方向設定ボタンを入力することにより、食器の収納方向の入力を開始する構成としてもよいものとする。
【００３９】
（実施の形態３）
次に、本発明における第３の実施の形態について図４を使用して説明する。
【００４０】
実施の形態３においては、実施の形態２に対して、前記食器量判定部２２に、前記入力検出部２１で検出された入力情報をもとに各食器の汚れ度合を判定する汚れ度合判定部３３を備え、前記食器情報データ部２４に、各食器の汚れ度合に応じて洗浄時間を補正する汚れ補正時間が予め格納されている構成とする。
【００４１】
以上のように構成された食器洗い機について、以下その動作・作用を図５のフローチャートを使用して説明する。
【００４２】
電源投入後、操作表示部１２の食器量判定部２２は、食器情報データ部２４に予め格納された食器の種類情報を取得し、取得した食器の種類情報を元に前記タッチパネル１１へ表示させる食器情報を決定し、決定した食器情報を表示出力部２３へ通知する。前記表示出力部２３は前記食器量判定部２２から取得した食器情報に対応する食器のアイコンを前記タッチパネル１１の食器一覧部４１へ一覧表示する（ステップ１）。
【００４３】
入力検出部２１において、前記食器一覧部４１へ一覧表示された食器アイコンがユーザーにより選択され、前記空間位置表示部４２の洗浄槽内の収納位置に該当する座標位置へドラッグ操作により配置されたことを検知する（ステップ２）と、前記入力検出部２１は、前記空間位置表示部４２に配置された食器アイコンから、食器の種類情報と座標位置情報を検出し、検出した食器の種類情報と座標位置情報を前記食器量判定部２２へ通知する（ステップ３）。前記食器量判定部２２は、前記入力検出部２１から取得した食器の種類情報を元に洗浄槽内に配置された食器を確定し、食器位置判定部３１において、前記入力検出部２１から取得した座標位置情報を元に前記食器の洗浄槽内の収納位置を判定する（ステップ４）。
【００４４】
続いて前記入力検出部２１において、前記空間位置表示部４２に配置された食器アイコンへの入力を検知する（ステップ５）と、前記入力検出部２１は、入力された食器アイコン情報を前記食器量判定部２２へ通知し、前記食器量判定部２２の汚れ度合判定部３３は、前記食器アイコンに対応する洗浄槽内の食器への汚れ度合が入力されたと判定する（ステップ６）。ここで、図６にステップ６の入力時のタッチパネル１１への表示内容の一例を示すが、再度食器アイコンへの入力を検知した場合は、前記食器量判定部２２は、前記表示出力部２３へ該当する食器アイコンの色を変更する指示を通知する。
【００４５】
前記ステップ２からステップ６までを繰り返し、洗浄槽内に収納した全ての食器情報の登録が完了する（ステップ７）と、前記食器量判定部２２は、実施の形態１と同様に、入力された食器量と予め格納された標準食器量データを比較し、入力された食器量が前記標準食器量データと異なる場合は、前記食器情報データ部２４に格納された食器補正時間を取得し、食器量に応じた補正時間を算出することにより洗浄時間の補正を行う（ステップ８）。次に、前記汚れ度合判定部３３において、入力された汚れ度合に対応する汚れ補正時間を前記食器情報データ部２４より取得し、取得した汚れ補正時間をステップ８で補正された洗浄時間に加算することにより、洗浄時間の補正を行う（ステップ９）。
【００４６】
その後、補正された洗浄時間に従い、洗浄制御部１３において洗浄ポンプや洗浄ノズルを制御して食器の洗浄を行う（ステップ１０）。
【００４７】
ここで、ステップ７の判定は、前記タッチパネル１１上に別途設定ボタンを表示させ、前記設定ボタンを入力することにより登録完了を判定する構成としてもよいものとし、前記入力検出部２１において、前記タッチパネル１１への入力を検知しない時間が予め設定された時間以上経過した場合、登録完了と判定し、それまでの入力情報をもとに選択された食器と汚れ度合を確定し、洗浄制御を行う構成としてもよいものとする。
【００４８】
以上のように、本実施の形態においては、ユーザーに負担を掛けず、複数のセンサを搭載することなく容易な構成で、収納された食器量と食器の収納位置だけでなく、食器の汚れ度合を設定することが可能となり、汚れ度合に応じても洗浄時間の補正を行ない、最適な洗浄時間で効率よく洗浄を行うことができる。
【００４９】
さらに、本実施の形態においては、食器の汚れ度合を前記空間位置表示部４２に入力することにより、特に汚れている食器の位置も判定することが可能となるため、前記食器位置に対して洗浄ポンプや洗浄ノズルを制御し、効率よく洗浄を行なうことができる。
【００５０】
また、本実施の形態においては、前記食器情報データ部２４に予め格納する汚れ補正時間を複数レベルで準備し、ステップ６での汚れ度合の入力判定を入力回数で判定することにより、汚れのレベルに応じて洗浄時間を補正する構成としてもよいものとする。
【００５１】
さらに、本実施の形態においては、前記タッチパネル１１上に、別途、汚れ度合の入力を開始する汚れ度合設定ボタンを表示させ、前記汚れ度合設定ボタンを入力することにより、ステップ５の汚れ度合の入力を開始する構成としてもよいものとする。
【００５２】
さらに、本実施の形態においては、前記タッチパネル１１上に、別途、前記空間位置表示部４２へ配置した食器を削除する削除ボタンを表示させ、前記削除ボタンを入力することにより、配置した食器を削除する構成としてもよいものとする。
【００５３】
（実施の形態４）
次に、本発明における第４の実施の形態について図７を使用して説明する。
【００５４】
実施の形態４においては、実施の形態３に対して、前記空間位置表示部４２に入力された食器の種類情報と位置情報を記憶する記憶手段１４を備えた構成とする。
【００５５】
以上のように、本実施の形態においては、洗浄時に前記空間位置表示部４２に設定された食器の種類情報と位置情報を記憶手段１４へ記憶し、次回の電源起動時に、前記記憶手段１４に記憶された食器情報と食器の位置情報を前記タッチパネル１１の前記空間位置表示部４２へ表示することにより、ユーザーが食器の収納状態を前記タッチパネル１１の前記空間位置表示部４２に入力する手間を省略することができる。
【００５６】
また、本実施の形態においては、電源起動時に、前記記憶手段１４に記憶された食器情報と食器の位置情報を前記空間位置表示部４２へ表示後、ユーザーが任意に食器の種類と収納位置を追加、変更する構成としてもよいものとする。
【００５７】
さらに、本実施の形態においては、前記タッチパネル１１上に、別途、前記空間位置表示部４２へ配置された食器を削除する削除ボタンを表示させ、前記削除ボタンを入力することにより、配置された食器を削除する構成としてもよいものとする。
【００５８】
（実施の形態５）
次に、本発明における第５の実施の形態について図７を使用して説明する。
【００５９】
実施の形態５においては、実施の形態４に対して、現在時刻を測定する計時手段１５を備えた構成とする。
【００６０】
以上のように、本実施の形態においては、前記空間位置表示部４２に設定された食器の種類情報と位置情報を電源の起動時刻毎に記憶し、次回の電源起動時に、前記記憶手段１４に記憶された食器情報と食器の位置情報のうち、現在時刻に最も近い時刻に記憶されたデータを前記タッチパネル１１の前記空間位置表示部４２へ表示することにより、時間帯に応じて洗浄する食器量や食器の種類が異なる場合においても、時間帯に応じて表示する食器の収納状態を変更することが可能となり、ユーザーが食器の収納状態を前記タッチパネル１１に入力する手間を省略することができる。
【００６１】
また、本実施の形態においては、前記記憶手段１４に記憶するタイミングは、実際に洗浄を開始するタイミングとしてもよいものとする。
【００６２】
さらに、本実施の形態においては、次回の電源起動時に、前記記憶手段１４に記憶された食器情報と食器の位置情報を前記空間位置表示部４２へ表示後、ユーザーが任意に食器の種類と収納位置を追加、変更する構成としてもよいものとする。
【００６３】
さらに、本実施の形態においては、前記タッチパネル１１上に、別途、前記空間位置表示部４２へ配置された食器を削除する削除ボタンを表示させ、前記削除ボタンを入力することにより、配置された食器を削除する構成としてもよいものとする。
【産業上の利用可能性】
【００６４】
以上のように本発明にかかるタッチパネルを使用した直感的な機器制御、機器情報を取得する方法は、食器洗い機以外の家電機器においてもユーザーの操作性を向上させることができる。
【符号の説明】
【００６５】
１  食器洗い機
２  洗浄槽
３  食器類
４  食器カゴ
５  洗浄水
６  洗浄ポンプ
７  洗浄ノズル
８  分水弁
９  温水ヒータ
１０  食器検出手段
１１  タッチパネル
１２  操作表示部
１３  洗浄制御部
１４  記憶手段
１５  計時手段
２１  入力検出部
２２  食器量判定部
２３  表示出力部
２４  食器情報データ部
３１  食器位置判定部
３２  食器方向判定部
３３  汚れ度合判定部
４１  食器一覧部
４２  空間位置表示部
【図１】
2013090816.tif 000003
【図２】
2013090816.tif 000004
【図３】
2013090816.tif 000005
【図４】
2013090816.tif 000006
【図５】
2013090816.tif 000007
【図６】
2013090816.tif 000008
【図７】
2013090816.tif 000009
【図８】
2013090816.tif 000010